(57)【要約】【課題】  物理チャンネルを選局した際に提示する編成チャンネルを好適に選択し、ユーザに係る利便性を向上させることができる「デジタル放送受信機」を提供する。【解決手段】  物理チャンネルを順次選局するための物理チャンネルアップダウンキーの操作に基づき、物理チャンネルを選局する機能と、最後に提示した編成チャンネルのサービス種別を情報として保持する機能を有するデジタル放送受信機１００Ａであって、物理チャンネルアップダウンキーの操作に基づき物理チャンネルを選局したときに、提示する編成チャンネルとして、物理チャンネルアップダウンキーの操作に基づき選局した物理チャンネルに属する編成チャンネルのうち、サービス種別が最後に提示した編成チャンネルのサービス種別と同一の編成チャンネルを選択する特定編成チャンネル選択手段を備える。【選択図】  図６
2009071742.tif 000002
【特許請求の範囲】
【請求項１】
複数の編成チャンネルを有して構成される物理チャンネルを順次選局するためのアップダウン操作手段の操作に基づき、物理チャンネルを選局する機能と、最後に提示した編成チャンネルに係る情報を保持する機能として、最後に提示した編成チャンネルのサービス種別を情報として保持する機能を有するデジタル放送受信機であって、
前記アップダウン操作手段の操作に基づき物理チャンネルを選局したときに、提示する編成チャンネルとして、前記アップダウン操作手段の操作に基づき選局した物理チャンネルに属する編成チャンネルのうち、サービス種別が最後に提示した編成チャンネルのサービス種別と同一の編成チャンネルを選択する特定編成チャンネル選択手段を備えることを特徴とするデジタル放送受信機。
【請求項２】
さらに最後に提示した編成チャンネルに係る情報を保持する機能として、最後に提示した編成チャンネルのサービス番号を情報として保持する機能を有するとともに、
前記特定編成チャンネル選択手段が、提示する編成チャンネルとして、前記アップダウン操作手段の操作に基づき選局した物理チャンネルに属する編成チャンネルのうち、サービス種別及びサービス番号が最後に提示した編成チャンネルのサービス種別及びサービス番号と同一の編成チャンネルを選択することを特徴とする請求項１記載のデジタル放送受信機。
【請求項３】
さらにサービス種別及びサービス番号が最後に提示した編成チャンネルのサービス種別及びサービス番号と同一の編成チャンネルで放送を受信できない場合に、前記特定編成チャンネル選択手段が、提示する編成チャンネルとして、前記アップダウン操作手段の操作に基づき選局した物理チャンネルに属する編成チャンネルのうち、サービス種別が最後に提示した編成チャンネルのサービス種別と同一で、且つサービス番号が最も小さい編成チャンネルを選択することを特徴とする請求項２記載のデジタル放送受信機。
【請求項４】
前記特定編成チャンネル選択手段が、提示する編成チャンネルとして、前記アップダウン操作手段の操作に基づき選局した物理チャンネルに属する編成チャンネルのうち、サービス種別が最後に提示した編成チャンネルのサービス種別と同一で、且つサービス番号が最も小さい編成チャンネルを選択することを特徴とする請求項１記載のデジタル放送受信機。
【請求項５】
さらに提示する編成チャンネルとして選択する編成チャンネルで放送を受信できない場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とする請求項１から４いずれか１項記載のデジタル放送受信機。
【請求項６】
さらに提示する編成チャンネルとしてプライマリサービスが選択された場合に、最後に提示した編成チャンネルに係る情報を保持する機能が情報を更新しないことを特徴とする請求項５記載のデジタル放送受信機。
【発明の詳細な説明】
【技術分野】
【０００１】
本発明はデジタル放送受信機に関し、特に複数の編成チャンネル（以下、単にＣＨとも称す）を有して構成される物理ＣＨを選局した際に提示する編成ＣＨを選択するためのデジタル放送受信機に関する。
【背景技術】
【０００２】
近年、デジタル放送が行われている。デジタル放送としては例えばＢＳデジタル放送のほか地上波デジタル放送なども開始されている。デジタル放送では一つの放送局が複数の放送を同時に行うことができ、一つの放送局に対応する物理ＣＨは複数の編成ＣＨを有して構成されている。図８は物理ＣＨの構成を模式的に示す図である。図８（ａ）において、Ｕ１３、Ｕ１４、Ｕ１５が物理ＣＨのＣＨ番号である。また３桁の数字で示される０１１、０１２等が編成ＣＨのＣＨ番号である。フルセグは３つの編成ＣＨからなる階層を３階層有して構成されており、図８（ａ）ではその３つの階層のうち、１つの階層を示している。ワンセグは３つの編成ＣＨからなる階層を１階層有して構成されており、図８（ａ）ではその３つの編成ＣＨのうち、１つの編成ＣＨを示している。ある物理ＣＨに属する編成ＣＨのうち、ＣＨ番号が最も小さい編成ＣＨをプライマリサービスと称す。
【０００３】
図８（ｂ）は物理ＣＨの構成をＵ１３についてさらに具体的に示したものである。各階層に属する編成ＣＨに対しては、ＣＨ番号が小さい順に階層毎に共通の通し番号が割り当てられており、編成ＣＨに対して割り当てられた階層毎に共通の番号をサービス番号と称す。図９（ｃ）はサービス種別の説明図で、地上波デジタル放送では具体的には物理ＣＨが有する各階層に対応した「０」から「３」までの４種類のサービス種別がある。デジタル放送では一つの放送局が上記のような複数の編成ＣＨを利用した放送を行えるため、例えばプライマリサービスで放送していた野球の試合が長引いた場合、プライマリサービスでは予定通りの番組を放送するとともに、他の編成ＣＨで引き続き野球中継を行うことができる。また例えばプライマリサービスでは全国向けの番組放送を行うとともに、他の編成ＣＨではローカル向けの番組放送を行うことなどもできる。
【０００４】
ところで、ユーザが物理ＣＨを選局した際には、選局した物理ＣＨに属する編成ＣＨのうちから、いずれかの編成ＣＨを選択して提示する必要がある。これに対して特許文献１では、放送局を順次選局するためのアップダウンキーが操作されたときに、それぞれの放送局における複数チャンネルの内の特定の１チャンネルのみを順次切り換えるように構成したデジタル放送受信機が提案されている。また、放送局は一般に編成ＣＨのうち、プライマリサービスをメインのチャンネルとして放送を行うため、プライマリサービスでは放送が休止している可能性が低いといえる。このため特許文献１が提案するデジタル放送受信機では、さらに上記特定の１チャンネルをそれぞれの放送局内のチャンネルの内、最も番号の小さいチャンネルとすることが提案されている。
【０００５】
【特許文献１】特開２００１−００８１１７号公報
【発明の開示】
【発明が解決しようとする課題】
【０００６】
特許文献１が提案する技術によれば、物理ＣＨを選局した際に、選局した物理ＣＨに属する特定の１チャンネル（特に放送が休止している可能性が低いプライマリサービス）のみが表示されるため、利便性としては合理的であると考えられる。しかしながら、物理ＣＨに属する複数の編成ＣＨは、編成ＣＨや階層毎に異なる特色を有している。このため、ユーザがある階層（例えばデータサービス）の編成ＣＨを利用していた場合には、他の物理ＣＨを選局した際にも同じ階層の編成ＣＨを続けて利用したいと思うことや、階層だけでなくさらにサービス番号も同じ編成ＣＨを続けて利用したいと思うこともある。しかしながら特許文献１が提案する技術では、物理ＣＨを選局した際にプライマリサービスなど特定の１チャンネルがまず表示されるため、上記のようなユーザはその後、さらに所望の編成ＣＨを選局するための操作を行わなければならなくなる点で不便さを感じる虞があった。
【０００７】
そこで本発明は上記の課題に鑑みてなされたものであり、物理ＣＨを選局した際に提示する編成ＣＨを好適に選択し、ユーザに係る利便性を向上させることができるデジタル放送受信機を提供することを目的とする。
【課題を解決するための手段】
【０００８】
上記課題を解決するために本発明は複数の編成チャンネルを有して構成される物理チャンネルを順次選局するためのアップダウン操作手段の操作に基づき、物理チャンネルを選局する機能と、最後に提示した編成チャンネルに係る情報を保持する機能として、最後に提示した編成チャンネルのサービス種別を情報として保持する機能を有するデジタル放送受信機であって、前記アップダウン操作手段の操作に基づき物理チャンネルを選局したときに、提示する編成チャンネルとして、前記アップダウン操作手段の操作に基づき選局した物理チャンネルに属する編成チャンネルのうち、サービス種別が最後に提示した編成チャンネルのサービス種別と同一の編成チャンネルを選択する特定編成チャンネル選択手段を備えることを特徴とする。
【０００９】
本発明によれば、物理ＣＨを選局した際に、サービス種別が最後に提示した編成ＣＨのサービス種別と同一の編成ＣＨが選択されるので、ユーザは同種の編成ＣＨを素早く利用できる。すなわち本発明によれば、同種の編成ＣＨの利用を所望するユーザの操作負担を軽減できる点で、ユーザに係る利便性を向上させることができる。なお、本発明は物理ＣＨを選局した際に、ユーザが同種の編成ＣＨを素早く利用できるように構成されている点で、特許文献１が提案する技術とは技術的思想が異なるものと考える。またこのように構成したことに関連し、本発明は以下に示すように物理ＣＨを選局した際に必ずしも本発明で選択されるべき編成ＣＨが常に選択されるわけではない点で、特定の１チャンネルのみを順次切り換えるように構成した特許文献１が提案する技術とは構成上も異なるものと考える。
【００１０】
また本発明はさらに最後に提示した編成チャンネルに係る情報を保持する機能として、最後に提示した編成チャンネルのサービス番号を情報として保持する機能を有するとともに、前記特定編成チャンネル選択手段が、提示する編成チャンネルとして、前記アップダウン操作手段の操作に基づき選局した物理チャンネルに属する編成チャンネルのうち、サービス種別及びサービス番号が最後に提示した編成チャンネルのサービス種別及びサービス番号と同一の編成チャンネルを選択してもよい。選択する編成チャンネルとしては、具体的には例えば本発明のようにサービス種別及びサービス番号が最後に提示した編成チャンネルのサービス種別及びサービス番号と同一の編成チャンネルを選択することが好適である。
【００１１】
また本発明はさらにサービス種別及びサービス番号が最後に提示した編成チャンネルのサービス種別及びサービス番号と同一の編成チャンネルで放送を受信できない場合に、前記特定編成チャンネル選択手段が、提示する編成チャンネルとして、前記アップダウン操作手段の操作に基づき選局した物理チャンネルに属する編成チャンネルのうち、サービス種別が最後に提示した編成チャンネルのサービス種別と同一で、且つサービス番号が最も小さい編成チャンネルを選択してもよい。またサービス種別及びサービス番号が最後に提示した編成チャンネルのサービス種別及びサービス番号と同一の編成チャンネルで放送が休止している場合など、放送を受信できない場合には、本発明のようにすれば同種の編成ＣＨを提示できる。
【００１２】
また本発明は前記特定編成チャンネル選択手段が、提示する編成チャンネルとして、前記アップダウン操作手段の操作に基づき選局した物理チャンネルに属する編成チャンネルのうち、サービス種別が最後に提示した編成チャンネルのサービス種別と同一で、且つサービス番号が最も小さい編成チャンネルを選択してもよい。またサービス種別が同一の編成ＣＨのうち、サービス番号が最も小さい編成ＣＨでは、それ以外の編成ＣＨと比較して放送が行われている可能性が高いことから、選択する編成ＣＨとしては、具体的には本発明のように最後に提示した編成チャンネルのサービス種別とサービス種別が同一で、且つサービス番号が最も小さい編成チャンネルを選択することも好適である。
【００１３】
また本発明はさらに提示する編成チャンネルとして選択する編成チャンネルで放送を受信できない場合に、前記特定編成チャンネル選択手段が、提示する編成チャンネルとして、前記アップダウン操作手段の操作に基づき選局した物理チャンネルに属する編成チャンネルのうち、プライマリサービスを選択してもよい。また選択する編成ＣＨで放送が休止している場合など、放送を受信できない場合には、例えば本発明のようにプライマリサービスを選択するようにすれば、利便性として合理的である。
【００１４】
また本発明は最後に提示した編成チャンネルに係る情報を保持する機能が、提示する編成チャンネルとしてプライマリサービスが選択された場合に、情報を更新しなくてもよい。本発明によれば、一度プライマリサービスが選択された後に物理ＣＨの選局を行った場合に、プライマリサービスが選択される前に提示された編成ＣＨと同種の編成ＣＨをユーザに提示することができる点で、同種の編成ＣＨの利用を所望するユーザに係る利便性を好適に向上させることができる。
【発明の効果】
【００１５】
本発明によれば、物理ＣＨを選局した際に提示する編成ＣＨを好適に選択し、ユーザに係る利便性を向上させることができるデジタル放送受信機を提供できる。
【発明を実施するための最良の形態】
【００１６】
以下、本発明を実施するための最良の形態を図面と共に詳細に説明する。
【実施例１】
【００１７】
図１はデジタル放送受信機１００Ａの構成を模式的に示す図である。アンテナ１はデジタル放送波を受信するための構成であり、アンテナ１が受信したデジタル放送波はチューナ部２を介して復調部３に入力される。復調部３は変調されていた信号を復調するための構成である。復号部４は復調した信号をデジタル音声やデジタル映像などのコンテンツデータに復号するための構成である。制御部５は選局の制御や、番組情報、プリセット情報の管理や制御を行うための構成であり、ＣＰＵ（Central Processing Unit：中央演算処理装置）で実現されている。メモリ６は制御部５用のメモリであり、プリセット情報や、最後に提示した編成ＣＨのサービス種別の情報（以下、単にラストサービス種別と称す）及び最後に提示した編成ＣＨのサービス番号の情報（以下、単にラストサービス番号と称す）など制御部５の制御に関連する種々の情報を保持するための構成である。情報処理部７はユーザインターフェイス制御や、画面表示の制御を行うための構成であり、ＣＰＵで実現されている。メモリ８は情報処理部７用のメモリであり、設定情報や画面表示情報などを保持するための構成である。
【００１８】
入力部９はタッチパネル２０やリモコン３０などで構成される入力インターフェイスである。映像合成部１０は放送コンテンツ映像と情報処理部７によるオンスクリーン表示とを合成するための構成である。Ｄ／Ａ部１１はデジタル音声をアナログ音声へ変換するための構成であり、Ｄ／Ａ部１２はデジタル映像をアナログ映像へ変換するための構成である。音声出力部１３はアンプ、スピーカなどで構成されており音声の出力を行う。映像出力部１４はモニタなどの映像出力装置で構成されており映像の出力を行う。
【００１９】
次にこのデジタル放送受信機１００Ａが備える選局機能と情報保持機能について詳述する。図２は入力部９を構成するタッチパネル２０の一例を模式的に示す図である。また図３は入力部９を構成するリモコン３０の一例を模式的に示す図である。タッチパネル２０、リモコン３０はともにプリセット選局キー、物理ＣＨアップダウン操作手段としての物理ＣＨアップダウンキー、サービス切換キー及びモード切換キーを有して構成されている。
【００２０】
プリセット選局キーはプリセットされている物理ＣＨを直接的にプリセットコールする操作を行うためのキーである。物理ＣＨアップダウンキーは物理ＣＨを順次選局する操作を行うためのキーである。サービス切換キーは選局した物理ＣＨに属する編成ＣＨを切り換える操作を行うためのキーである。モード切換キーは受信する階層を切り換えるためのキーであり、主に部分受信階層とそれ以外の階層との切り換えに使用される。制御部５はプリセット選局キーの操作と物理ＣＨアップダウンキーの操作に基づき、物理ＣＨを選局する制御を行う。
【００２１】
デジタル放送受信機１００Ａは、最後に提示した編成ＣＨに係る情報として、ラストサービス種別及びラストサービス番号（以下、これらを総称するときには単にラスト情報と称す）を保持する情報保持機能を備えている。この情報保持機能は具体的には物理ＣＨアップダウンキー、サービス切換キーまたはモード切換キーの操作に基づき、編成ＣＨが選択及び提示された場合に、ラスト情報を更新するように構成されている。なお、プリセット選局キーの操作に基づき編成ＣＨが選択及び提示されたときにも、ラスト情報を更新するように構成してもよい。この情報処理機能は、提示する編成ＣＨとしてプライマリサービスが選択された場合にはラスト情報を更新するように構成することも、ラスト情報を更新しないように構成することもできる。この情報保持機能はメモリ６が格納する情報保持機能に関する所定のプログラムに基づき、制御部５が処理を行うことで実現される。
【００２２】
図１に戻り、メモリ６は物理ＣＨアップダウンキーの操作に基づき物理ＣＨを選局したときに、提示する編成チャンネルとして、物理ＣＨアップダウンキーの操作に基づき選局した物理ＣＨに属する編成ＣＨのうち、サービス種別が最後に提示した編成ＣＨのサービス種別と同一の編成ＣＨを選択するように作成された特定編成ＣＨ選択用プログラムを格納している。本実施例ではこの特定編成ＣＨ選択用プログラムに基づき、制御部５が処理を行うことで特定編成チャンネル選択手段が実現される。なお、特定編成ＣＨ選択用プログラムは例えばメモリ８に格納されていてもよく、このときメモリ８に格納された特定編成ＣＨ選択用プログラムに基づき情報処理部７が処理を行うことで特定編成チャンネル選択手段が実現されてもよい。
【００２３】
特定編成ＣＨ選択用プログラムは、さらに以下に示すように作成されている。特定編成ＣＨ選択用プログラムは提示する編成ＣＨとして、さらに具体的には物理ＣＨアップダウンキーの操作に基づき選局した物理ＣＨに属する編成ＣＨのうち、サービス種別及びサービス番号が最後に提示した編成ＣＨのサービス種別及びサービス番号と同一の編成ＣＨを選択するように作成されている。
また特定編成ＣＨ選択用プログラムは、さらにサービス種別及びサービス番号が最後に提示した編成ＣＨのサービス種別及びサービス番号と同一の編成ＣＨで放送が休止していた場合に、提示する編成ＣＨとして、物理ＣＨアップダウンキーの操作に基づき選局した物理ＣＨに属する編成ＣＨのうち、サービス種別が最後に提示した編成ＣＨのサービス種別と同一で、且つサービス番号が最も小さい編成ＣＨを選択するように作成されている。
【００２４】
さらに特定編成ＣＨ選択用プログラムは、提示する編成ＣＨとして選択する編成ＣＨで放送を受信できない場合に、提示する編成ＣＨとして、物理ＣＨアップダウンキーの操作に基づき選局した物理ＣＨに属する編成ＣＨのうち、プライマリサービスを選択するように作成されている。この点、本実施例では提示する編成ＣＨとして選択する編成ＣＨで放送を受信できない場合が、サービス種別が最後に提示した編成ＣＨのサービス種別と同一の編成ＣＨで放送を受信できない場合となっている。
【００２５】
図４はフルセグモードで物理ＣＨアップダウンキーを操作した際に、デジタル放送受信機１００Ａで行われる動作の第１の具体例を模式的に示す図である。この第１の具体例では、提示する編成ＣＨとしてプライマリサービスが選択された場合にラスト情報を更新する場合の例を示している。現在の物理ＣＨがＵ１３ｃｈになっている状態で物理ＣＨアップダウンキーを操作して物理ＣＨを１回アップさせると、Ｕ１４ｃｈが選局される。このとき選局したＵ１４ｃｈでは、サービス種別及びサービス番号が最後に提示した編成ＣＨ（０１２ｃｈ）のサービス種別（「０」）及びサービス番号（「２」）と同一の編成ＣＨで放送が休止しているため、放送を受信できない。このため提示する編成ＣＨとしては、選局したＵ１４ｃｈに属する編成ＣＨのうち、プライマリサービスが選択される。このときにはラストサービス種別は「０」のままで、ラストサービス番号が「２」から「１」に更新される。
【００２６】
続いて物理ＣＨを１回アップさせると、Ｕ１５ｃｈが選局される。このとき選局したＵ１５ｃｈでは、サービス種別及びサービス番号が最後に提示した編成ＣＨ（０２１ｃｈ）のサービス種別（「０」）及びサービス番号（「１」）と同一の編成ＣＨ（０３１ｃｈ）で放送が行われている。このため提示する編成ＣＨとしては、編成ＣＨ（０３１ｃｈ）が選択される。続いて物理ＣＨを１回アップさせると、Ｕ１６ｃｈが選局される。このとき選局した１６ｃｈでは、プライマリサービスを含めすべての編成ＣＨで放送が行われていない。このようにすべての編成ＣＨで放送を受信できず提示する編成ＣＨがない場合には、ラスト情報は更新されない。
【００２７】
続いて物理ＣＨを１回アップさせると、Ｕ１７ｃｈが選局される。このとき選局したＵ１７ｃｈでは、サービス種別及びサービス番号が最後に提示した編成ＣＨ（０３１ｃｈ）のサービス種別（「０」）及びサービス番号（「１」）と同一の編成ＣＨ（０４１ｃｈ）で放送が行われている。このため提示する編成ＣＨとしては、編成ＣＨ（０４１ｃｈ）が選択される。続いてサービス切換キーを操作して編成ＣＨを１回アップさせると、０４２ｃｈが選択及び提示される。このときにはラストサービス種別は「０」のままで、ラストサービス番号が「１」から「２」に更新される。この状態でさらに物理ＣＨアップダウンキーを操作して編成ＣＨを１回アップさせると、Ｕ１８ｃｈが選局される。このとき選局したＵ１８ｃｈでは、サービス種別及びサービス番号が最後に提示した編成ＣＨ（０４２ｃｈ）のサービス種別（「０」）及びサービス番号（「２」）と同一の編成ＣＨ（０５２ｃｈ）で放送が行われている。このため提示する編成ＣＨとしては、編成ＣＨ（０５２ｃｈ）が選択される。
【００２８】
以下、物理ＣＨを１回アップさせる度に同様の動作（図示の備考欄参照）が行われることにより、最後に提示した編成ＣＨと同種の編成ＣＨが優先して提示されることになる。なお、補足としてＵ２９ｃｈについて説明すると、Ｕ２９ｃｈでは１１１ｃｈが提示された状態でサービス切換キーを操作して編成ＣＨを３回アップさせた結果、３１１ｃｈが提示されたことを示している。このときにはラストサービス種別は最終的に「１」に、ラストサービス番号は最終的に「１」に夫々更新される。
【００２９】
一方、提示する編成ＣＨとしてプライマリサービスが選択されたときに、ラスト情報を更新しない場合には、図５に示すような動作になる。図５はフルセグモードで物理ＣＨアップダウンキーを操作した際に、デジタル放送受信機１００Ａで行われる動作の第２の具体例を模式的に示す図である。現在の物理ＣＨがＵ１３ｃｈになっている状態で物理ＣＨアップダウンキーを操作して物理ＣＨを１回アップさせると、Ｕ１４ｃｈが選局される。このとき選局したＵ１４ｃｈでは、サービス種別及びサービス番号が最後に提示した編成ＣＨ（０１２ｃｈ）のサービス種別（「０」）及びサービス番号（「２」）と同一の編成ＣＨで放送が休止しているため、放送を受信できない。このため提示する編成ＣＨとしては、選局したＵ１４ｃｈに属する編成ＣＨのうち、プライマリサービスが選択される。またこのときにはラスト情報は更新されず、ラストサービス種別は「０」に、ラストサービス番号は「２」に夫々保持される。
【００３０】
続いて物理ＣＨを１回アップさせると、Ｕ１５ｃｈが選局される。このとき選局したＵ１４ｃｈでは、サービス種別及びサービス番号が最後に提示した編成ＣＨ（０１２ｃｈ）のサービス種別（「０」）及びサービス番号（「２」）と同一の編成ＣＨで放送が休止しているため、放送を受信できない。このため提示する編成ＣＨとしては、選局したＵ１４ｃｈに属する編成ＣＨのうち、プライマリサービスが選択される。またこのときにもラスト情報は更新されず、ラストサービス種別は「０」に、ラストサービス番号は「２」に夫々保持される。
【００３１】
続いて物理ＣＨを１回アップさせるとＵ１６ｃｈが選局されるが、Ｕ１６ｃｈではすべての編成ＣＨで放送が行われていないため、ラスト情報は更新されない。続いて物理ＣＨを１回アップさせると、Ｕ１７ｃｈが選局される。このとき選局したＵ１７ｃｈでは、サービス種別及びサービス番号が最後に提示した編成ＣＨ（０１２ｃｈ）のサービス種別（「０」）及びサービス番号（「２」）と同一の編成ＣＨ（０５２ｃｈ）で放送が行われている。このため提示する編成ＣＨとしては、編成ＣＨ（０５２ｃｈ）が選択される。以下、物理ＣＨを１回アップさせる度に同様の動作（図示の備考欄参照）が行われることにより、最後に提示した編成ＣＨと同種の編成ＣＨが優先して提示されることになる。この第２の具体例の場合には、プライマリサービスが選択される前に提示された編成ＣＨと同種の編成ＣＨをユーザに提示することができる点で、同種の編成ＣＨの利用を所望するユーザに係る利便性を第１の具体例の場合よりも好適に向上させることができる。
【００３２】
次にデジタル放送受信機１００Ａの動作を図６に示すフローチャートを用いて詳述する。なお、このフローチャートにおいて、物理ＣＨアップダウンキーの操作以外でラスト情報が更新される場合についてまず説明する。ユーザによる入力待ちの状態で（ステップＳ１１）、ユーザがサービス切換キーによるサービス（編成ＣＨ）切換操作または受信モード切換キーによる受信モード切換操作を行うと（ステップＳ３１、Ｓ３２）、デジタル放送受信機１００Ａでは選択された編成ＣＨのサービス種別がラストサービス種別として記憶されるとともに（ステップＳ３３）、選択された編成ＣＨのサービス番号がラストサービス番号として記憶され（ステップＳ３４）、また選択された編成ＣＨが提示される（ステップＳ３５）。
【００３３】
一方、物理ＣＨアップダウンキーを操作した場合には次のような動作が行われる。ユーザによる入力待ちの状態で（ステップＳ１１）、ユーザが物理ＣＨアップダウンキーによる選局操作を行うと（ステップＳ１２）、デジタル放送受信機１００Ａは選局した物理ＣＨを受信する（ステップＳ１３）。続いてデジタル放送受信機１００Ａではサービス種別がラストサービス種別と同一の編成ＣＨが存在するか否かが判定される（ステップＳ１４）。否定判定であれば、プライマリサービスを選択及び提示する（ステップＳ２０）。なお、提示する編成ＣＨとしてプライマリサービスを選択した場合に情報保持機能がラスト情報の更新を行わないように構成されているときには、本ステップでラスト情報の更新は行われない。
【００３４】
一方、ステップＳ１４で肯定判定であれば、さらにサービス番号がラストサービス番号と同一の編成ＣＨが存在するか否かが判定される（ステップＳ１５）。ステップＳ１５で肯定判定であれば、サービス種別及びサービス番号がラストサービス種別及びラストサービス番号と同一の編成ＣＨを選択及び提示する（ステップＳ１６）。一方、ステップＳ１６で否定判定であれば、サービス種別がラストサービス種別のサービス種別と同一の編成ＣＨで、且つサービス番号が最も小さい編成ＣＨを選択及び提示する（ステップＳ１７）。なお、本ステップでラスト情報の更新も行われる。以上により、物理ＣＨを選局した際に提示する編成ＣＨを好適に選択し、ユーザに係る利便性を向上させることができるデジタル放送受信機１００Ａを実現できる。
【実施例２】
【００３５】
本実施例に係るデジタル放送受信機１００Ｂは、メモリ６が実施例１で前述した特定編成ＣＨ選択用プログラムの代わりに、以下に示すように作成された特定編成ＣＨ選択用プログラムを格納している点以外、デジタル放送受信機１００Ａと同一のものとなっている。本実施例では以下に示すように作成された特定編成ＣＨ選択用プログラムに基づき、制御部５が処理を行うことで特定編成チャンネル選択手段が実現される。
【００３６】
本実施例に係る特定編成ＣＨ選択用プログラムも実施例１で前述した特定編成ＣＨ選択用プログラムと同様に、物理ＣＨアップダウンキーの操作に基づき物理ＣＨを選局したときに、提示する編成ＣＨとして、物理ＣＨアップダウンキーの操作に基づき選局した物理ＣＨに属する編成ＣＨのうち、サービス種別が最後に提示した編成ＣＨのサービス種別と同一の編成ＣＨを選択するように作成されている。一方、本実施例に係る特定編成ＣＨ選択用プログラムは、提示する編成ＣＨとして、具体的には物理ＣＨアップダウンキーの操作に基づき選局した物理ＣＨに属する編成ＣＨのうち、サービス種別が最後に提示した編成ＣＨのサービス種別と同一で、且つサービス番号が最も小さい編成ＣＨを選択するように作成されている。
【００３７】
なお、本実施例に係る特定編成ＣＨ選択用プログラムも実施例１で前述した特定編成ＣＨ選択用プログラムと同様に、提示する編成ＣＨとして選択する編成ＣＨで放送が休止していた場合に、提示する編成ＣＨとして、物理ＣＨアップダウンキーの操作に基づき選局した物理ＣＨに属する編成ＣＨのうち、プライマリサービスを選択するように作成されている。また最後に提示した編成ＣＨに係る情報を保持する機能は、提示する編成ＣＨとしてプライマリサービスが選択された場合には情報を更新しないように構成されている。但しこれに限られず、最後に提示した編成ＣＨに係る情報を保持する機能は、提示する編成ＣＨとしてプライマリサービスが選択された場合に情報を更新するように構成されてもよい。
【００３８】
次にデジタル放送受信機１００Ｂの動作を図７に示すフローチャートを用いて説明する。なお、本フローチャートはステップＳ１５及びＳ１６がない点と、ステップＳ１４の肯定判定に続くステップがステップＳ１７となっている点以外、図６に示すフローチャートと同一のものとなっている。このため本実施例では特にステップＳ１４及びＳ１７について説明する。ステップＳ１４で肯定判定であった場合には、デジタル放送受信機１００Ｂではサービス種別がラストサービス種別のサービス種別と同一の編成ＣＨで、且つサービス番号が最も小さい編成ＣＨが提示される（ステップＳ１７）。これにより、放送されている可能性が高い同種の編成ＣＨをユーザに素早く提示できる点で、同種の編成ＣＨの利用を所望するユーザに係る利便性を好適に向上させることができる。以上により、物理ＣＨを選局した際に提示する編成ＣＨを好適に選択し、ユーザに係る利便性を向上させることができるデジタル放送受信機１００Ｂを実現できる。
【００３９】
上述した実施例は本発明の好適な実施の例である。但し、これに限定されるものではなく、本発明の要旨を逸脱しない範囲内において種々変形実施可能である。例えば最後に提示した編成チャンネルに係る情報を保持する機能（情報保持機能）は、提示する編成チャンネルとしてプライマリチャンネルが選択された場合に限られず、より広い適用範囲で情報を更新しないように構成することもでき、具体的には提示する編成チャンネルとして最後に提示した編成チャンネルに係る情報（サービス種別および／またはサービス番号）と情報が一致しない編成チャンネルが選択された場合に情報を更新しないように構成されてもよい。このとき最後に提示した編成チャンネルに係る情報を保持する機能は、具体的には例えば提示する編成チャンネルとしてサービス種別が最後に提示した編成チャンネルのサービス種別と同一で、且つサービス番号が最も小さい編成チャンネルが選択された場合に情報を更新しないように構成することなどができる。
【図面の簡単な説明】
【００４０】
【図１】デジタル放送受信機１００Ａの構成を模式的に示す図である。
【図２】入力部９を構成するタッチパネル２０の一例を模式的に示す図である。
【図３】入力部９を構成するリモコン３０の一例を模式的に示す図である。
【図４】フルセグモードで物理ＣＨアップダウンキーを操作した際にデジタル放送受信機１００Ａで行われる動作の第１の具体例を模式的に示す図である。
【図５】フルセグモードで物理ＣＨアップダウンキーを操作した際にデジタル放送受信機１００Ａで行われる動作の第２の具体例を模式的に示す図である。
【図６】デジタル放送受信機１００Ａの動作をフローチャートで示す図である。
【図７】デジタル放送受信機１００Ｂの動作をフローチャートで示す図である。
【図８】物理ＣＨの構成を模式的に示す図である。
【符号の説明】
【００４１】
５  制御部
６  メモリ
９  入力部
２０  タッチパネル
３０  リモコン
１００Ａ  デジタル放送受信機
【図１】
2009071742.tif 000003
【図２】
2009071742.tif 000004
【図３】
2009071742.tif 000005
【図４】
2009071742.tif 000006
【図５】
2009071742.tif 000007
【図６】
2009071742.tif 000008
【図７】
2009071742.tif 000009
【図８】
2009071742.tif 000010